(57)【要約】      （修正有）【課題】季節や使用状況に合わせて陽射し・通風の取り入れ、他人の視線に対する遮蔽等を調整し、併せて住宅内部の温度調整補助を行うことのできる、ルーバー付きスライドパネルと住宅との間の中間領域という空間を創出する構造を提供する。【解決手段】住宅の外壁１の外側に、左右の縦枠とこれらの縦枠の上端に設けられた上枠とによって枠体３を構成し、この枠体３の内側には、上枠に沿って摺動可能で、左右の縦框と上下の横框とによって構成された框体の内側に多数のルーバーを配した上吊り式のルーバー付きスライドパネル１３を設けるとともに、上枠と外壁１との間には屋根３５を設け、スライドパネル１３と住宅との間に中間領域を設けた。【選択図】図１
2014125846.tif 000002
【特許請求の範囲】
【請求項１】
住宅の外壁の外側に、左右の縦枠とこれらの縦枠の上端に設けられた上枠とによって枠体を構成し、この枠体の内側には、上記上枠に沿って摺動可能で、左右の縦框と上下の横框とによって構成された框体の内側に多数のルーバーを配した上吊り式のルーバー付きスライドパネルを設けるとともに、上記上枠と上記外壁との間には屋根を設けたことを特徴とする住宅内外の中間領域創出構造。
【請求項２】
上記枠体には、左右の縦框と上下の横框とによって構成された框体の内側に多数のルーバーを配したルーバー付きパネルを固定し、上記ルーバー付きスライドパネルは上記ルーバー付きパネルと上記枠体との間に形成された空間を開閉可能に設けられていることを特徴とする、請求項１に記載の住宅内外の中間領域創出構造。
【請求項３】
少なくとも上記ルーバー付きスライドパネルのルーバーは回動可能となっていることを特徴とする、請求項１又は２に記載の住宅内外の中間領域創出構造。
【請求項４】
上記ルーバーが閉じたとき、上記住宅側に対面する上下のルーバーの面が平面上に並べられるようにしたことを特徴とする、請求項３に記載の住宅内外の中間領域創出構造。
【発明の詳細な説明】
【技術分野】
【０００１】
本発明は、住宅とその外の庭との間に、これら２つの領域をつなぐ中間領域という新しい空間を創出するための構造に関するものである。
【背景技術】
【０００２】
一般に、住宅は大きく床と壁と屋根とによって構成され、人が住み、生活に供される空間であり、常時は外界と遮断されている。庭は最も住宅に近い外界であるが、住宅と庭とは、基本的には壁、窓、玄関などによって隔てられている。もちろん、住宅は外界と隔絶して成り立っているわけではない。窓や換気口のように外気を導入したり、陽射しを室内に取り入れたりすることも必要であり、また、すだれ、ブラインド、ルーバー等によって他人の視線を避けながら住宅内に通風を促すことも行なわれている。ただし、これらはいずれも庭に属するものではなく、住宅に付属する部材である。また、特に寒冷な地方には建物の玄関前に風除室が設けられる場合がある。これは、住宅の内部に冷たい外気や風や雪が流入したり、吹きつけたりするのを緩和するための小部屋で、玄関の延長スペースであり、やはり庭に属するものではない。特許文献１に示されるようなルーバーも同様である。
【０００３】
このように、従来は、住宅と外界の陽射し、雨、風等との関係調整は、住宅に属する部材によって図られてきたのが実情である。
【先行技術文献】
【特許文献】
【０００４】
【特許文献１】特開昭６１−１９１７４４号公報
【発明の概要】
【発明が解決しようとする課題】
【０００５】
しかしながら、日射を防ぐとともに他人の視線を遮るために、住宅側にすだれのような部材を立てかける構成では、必要に応じて出したり収納したりしなければならない。また、窓にルーバーやブラインドを取り付ける構成では、必要に十分に対応しきれない。開放すれば風通しは良くなり、陽射しも取り入れることができるが、住宅内部を他人の視線に曝すことになり、安心が損なわれる。安心を得ようとすれば、十分な通風や陽の射し込みは期待できない。
【０００６】
もちろん、電気、ガス等の積極的動力源や熱源を用いて強制的に通風させたり、温度調整をしたりする器具や装置は市場に存在するが、これらは住居所有者にコスト負担を強いるものであり、また今日の環境上のニーズにもそぐわない。
【０００７】
そこで、本発明者等は、住宅の内部と外部とをつないで、住宅でもない、庭でもない、あるいは住宅でもあり、庭でもあるという中間領域を創出し、庭の一部を住宅に取り込み、庭という開放空間が有していた自然の陽射しや外気によるクーリング作用を住宅に取り入れ、庭に住宅と同じ価値をもたせることによって、安心と十分な通風・日射の取り込みの双方を両立させ、快適な生活空間を確保することができるのではないかという考え、その可能性を探るべく、鋭意研究してきた。
【０００８】
本発明は、上記観点から上述の問題点を解消し、電気、ガス等の動力源や熱源に依存することなく、住宅の近傍にルーバー付きスライドパネルを設けることにより、季節や使用状況に合わせて陽射し・通風の取り入れ、他人の視線に対する遮蔽等を調整し、併せて住宅内部の温度調整補助を行うことができる、新たな住宅内外の中間領域創出構造を提供することをその課題とする。
【課題を解決するための手段】
【０００９】
前記課題を解決するため、請求項１に係る発明は、住宅の外壁の外側に、左右の縦枠とこれらの縦枠の上端に設けられた上枠とによって枠体を構成し、この枠体の内側には、上記上枠に沿って摺動可能で、左右の縦框と上下の横框とによって構成された框体の内側に多数のルーバーを配した上吊り式のルーバー付きスライドパネルを設けるとともに、上記上枠と上記外壁との間には屋根を設けたことを特徴とする。
【００１０】
請求項２に係る発明は、請求項１において、上記枠体には、左右の縦框と上下の横框とによって構成された框体の内側に多数のルーバーを配したルーバー付きパネルを固定し、上記ルーバー付きスライドパネルは上記ルーバー付きパネルと上記枠体との間に形成された空間を開閉可能に設けられていることを特徴とする。
【００１１】
請求項３に係る発明は、請求項１又は２において、少なくとも上記ルーバー付きスライドパネルのルーバーは回動可能となっていることを特徴とする。
【００１２】
請求項４に係る発明は、請求項３において、上記ルーバーが閉じたとき、上記住宅側に対面する上下のルーバーの面が平面上に並べられるようにしたことを特徴とする。
【発明の効果】
【００１３】
請求項１に係る発明によれば、住宅の外壁の外側に、左右の縦枠とこれらの縦枠の上端に設けられた上枠とによって枠体を構成し、この枠体の内側に上記上枠に沿って摺動可能で、左右の縦框と上下の横框とによって構成された框体の内側に多数のルーバーを配した上吊り式のルーバー付きスライドパネルを設けるとともに、上記上枠と上記外壁との間には屋根を設けた構造であるから、ルーバー付きスライドパネルと住宅との間には、屋内でも屋外でもない中間領域が創出される。そして、この中間領域を造り出すことにより、庭に吹く風、庭に照射された日光をいったん中間領域に取り込み、さらにそこから住宅内に導入することができるから、季節や使用状況に合わせて日射・通風・他人の視線等による影響を調整したり、住宅内部の温度調整補助を行ったりすることができる。
【００１４】
すなわち、ルーバー付きスライドパネルを開き状態としたとき、中間領域は外界に開放された空間となり、庭的な存在となる。このため、日光が外側から住宅の開口部に十分に差し込まれ、通風量も最大となる。したがって、冬は陽射しを取り入れる効果が期待でき、夏は放熱効果が期待できる。
【００１５】
次に、ルーバー付きスライドパネルを閉じると、外からの視線を遮断し、日光から中間領域を遮蔽することができるので、中間領域は住宅内部に近いプライベート空間的な存在となる。そして、ルーバーを閉めたときは、上下のルーバーの重なり具合が建具のような美観を呈するようにすれば、リビングの延長のようなイメージとなる。
【００１６】
このように、エアコンなどの電力等に依存せず、太陽や風など自然のパワーを利用したパッシブな制御によって夏冬の厳しい環境を適度に緩和し、温度差が少なく、建物や居住している人にかける負担を最小にすることができる。
【００１７】
また、屋根があるために雨水が中間領域内を濡らすことがなく、常時室内のような快適空間を保持することができる。
【００１８】
以上のように、住宅の内外の中間領域を創出することにより、外界に開放された庭を外界に閉鎖された住宅に取り込んで住宅と同価値とすることで安心で快適な空間と通風・日射の制御空間とを併せ持つがの両立が達成できる。
【００１９】
請求項２に係る発明によれば、枠体には、左右の縦框と上下の横框とによって構成された框体の内側に多数のルーバーを配したルーバー付きパネルを固定し、ルーバー付きスライドパネルは上記ルーバー付きパネルと上記枠体との間に形成された空間を開閉可能に設けられた構造となるので、中間領域はルーバー付きスライドパネルとルーバー付きパネルとを連続的に備えた広い空間となる。
【００２０】
請求項３に係る発明によれば、少なくともルーバー付きスライドパネルのルーバーは回動可能となっているので、ルーバー付きスライドパネルを閉じた状態にしても、ルーバーを回動して開けることによって外からの視線を遮断し、日射をある程度促すと同時に、風を通す空間となるから、中間領域をテラス的空間とすることができる。また、ルーバーを閉じた状態にすることによって、外からの視線を完全に遮断するとともに、日射や通風も遮断することができる空間となるから、中間領域を住宅内部に近いプライベート空間的な存在とすることができる。
【００２１】
請求項４に係る発明によれば、ルーバーが閉じたとき、住宅側に対面する上下のルーバーの面が平面上に並べられるようにしたので、上下のルーバーの重なり具合が建具のような美観を呈することになり、中間領域をリビングの延長のようなイメージとすることができる。
【図面の簡単な説明】
【００２２】
【図１】中間領域創出構造を示す構造体の斜視図
【図２】上記構造体の正面図
【図３】上記構造体の側面図
【図４】図２のＸ−Ｘ線上の断面図
【図５】ルーバー付きパネルを開き作動させた状態の正面図
【図６】ルーバーの取付状態を示す断面図
【図７】上記構造体の屋根部の前部の拡大断面図
【図８】水平ローラの取付状態を示す平面図
【図９】ガイドローラと下部レールを示す側面図
【図１０】上記構造体の屋根部の基部の拡大断面図
【発明を実施するための形態】
【００２３】
図１〜図５は住宅内外の中間領域創出構造を示す構造体で、図１は上記構造体の斜視図、図２はその正面図、図３はその側面図、図４は図１のＸ−Ｘ線上の断面図であり、図５はルーバー付きパネルを開き作動させた状態の正面図である。符号１は住宅の外壁である。２は外壁１に出入り可能に設けられた開口部(サッシ枠、扉等は省略)である。住宅の外壁１の外側に設けられた庭などの地面（土でもコンクリートでもよい）Ｇには、枠体３とルーバー付きのパネル７、１３とを備えた構造体Aが設けられている。
【００２４】
枠体３は、左右の縦枠４とこれらの縦枠４の上端に設けられた上枠５とによって構成され、地面Ｇに立設されている。縦枠４の間には方立６が設けられ、方立６の上端は上枠５に、下端は縦枠４と同様に地面Ｇに埋設固定されている。
【００２５】
次に、上記枠体３の両側の縦枠４と方立６との間にはルーバー付きパネル７が設けられている。ルーバー付きパネル７は、上下の横框８と左右の縦框９とによって組まれた方形の框体の内側に多数のルーバー１０を間隔をおいて平行に配置したもので、図６に示されるように、各ルーバー１０は一端側がやや幅狭になっている長い台形状に形成され、一方の斜辺１０ａの延長上には突片１０ｂが突出形成されている。ルーバー１０の回動軸１１は縦框９の内壁の軸孔（図示せず）に回動自在に支持され、軸孔を貫通してその内側に突出し、縦框９の内側に配置された回動アーム１２と連結されている。回動アーム１２の先端は縦框９内に配置された作動ロッド（図示せず）に係合している。このため、外部から回転ハンドル等の適宜手段によって作動ロッドを上下動させることにより、移動量に応じて回動アーム１２が一定の角度だけ回動し、同時にルーバー１０が同角度だけ開閉回動するようになっている。
【００２６】
上下のルーバー１０間の隙間が最小となるように閉じ作動させたときは、上下のルーバー１０の住宅側に対面する面が平面上に並べられるようになっている。これにより、全体として多数の引き出しが上下に連続する建具のような意匠を呈する。もちろん、ルーバー１０を開き作動させたときは、上下のルーバー１０間に十分な通風空間が形成される。
【００２７】
なお、ルーバー１０の駆動機構は上述のものに限定されない。また、ルーバーは回動しなくてもよい。ルーバーの形状も特に上記形態に限定されない。
【００２８】
また、枠体３の両側部にルーバー付きパネル７を設けることによってルーバー付きパネル７と枠体３との間に形成された空間Ｐには、２枚のルーバー付きスライドパネル１３が配置されている。ルーバー付きスライドパネル１３は、左右の縦框３０ａと上下の横框３０ｂとによって構成された框体２６の内側に多数のルーバー１０を配置した上吊り式のパネルで、上枠５に沿って摺動することによって方立６間の内側空間を開閉するように設けられ、上記内側空間を開放するときはルーバー付きパネル７の背面に沿って摺動するようになっている。
【００２９】
すなわち、上枠５の後部にはルーバー付きスライドパネル１３を摺動可能に支持する上部レール１４が固定され、上部レール１４に沿ってルーバー付きスライドパネル１３が摺動するように構成されている。
【００３０】
図７に示されるように、上枠５は方形の中空部１５の下部の前後に２本の突縁１６を下向きに突出形成したもので、中空部１５の下面にはレールステー１７が固定されている。レールステー１７は上部１８がＬ字形に形成され、垂直部の中間部には凸部１９と鉤部２０が互いに反対側に形成されている。上部１８は中空部１５の下面と後側の突縁１６に当接して固定され、垂直部の下部は上枠５の後部の突縁１６の延長上に延出し、鉤部２０は後方に露出するように取り付けられている。レールステー１７には上部レール１４が固定されている。上部レール１４は、下部に摺動溝３３を有する横長の長方形状のレール本体２２と、レール本体２２の一端の上下からそれぞれ突出する係止縁２３と固定縁２４とから形成されている。係止縁２３はレールステー１７の鉤部２０に係止され、固定縁２４はレールステー１７の下端に当接されてビス止め固定されている。
【００３１】
上部レール１４の下方に対応して、地面Ｇには下部レール２５が埋設されている。下部レール２５は断面略Ｕ字形の部材で、上部が開放されている。
【００３２】
これに対し、ルーバー付きスライドパネル１３のルーバー１０の形状、框体２６に対する取付態様、作動ロッドによるルーバー１０の駆動機構等は、上述のルーバー付きパネル７と同じであるから、説明は省略する。
【００３３】
ルーバー付きスライドパネル１３の上部両端には、水平ローラ２７が設けられている。図７及び図８に示されるように、水平ローラ２７の回転軸２８は支持金具２９に固定され、支持金具２９は框体２６の縦框３０ａの中空部３１に挿入され、中空部３１の外側から打ち込まれたビス３２によって固定されている。
【００３４】
水平ローラ２７の回転軸２８は、枠体３の上枠５の後部に固定された上部レール１４の端部から摺動溝３３を通るように挿入され、水平ローラ２７が上部レール１４の内部に収納された状態で摺動自在に配置されている。これにより、ルーバー付きスライドパネル１３は上部レール１４に摺動自在に上吊りされている。
【００３５】
図９に詳しく示すように、ルーバー付きスライドパネル１３の下部両端にはガイドローラ３４が設けられている。ガイドローラ３４の回転軸３５はＬ形の支持金具２９ａに固定され、支持金具２９ａは縦框３０ａの中空部３１（図８参照）に挿入され、中空部３１の外側から打ち込まれたビス３２によって固定されている。そして、ルーバー付きスライドパネル１３のガイドローラ３４は下部レール２５の内側に配置され、摺動時の振れを防止している。
【００３６】
２つのルーバー付きスライドパネル１３は図１及び図２に示す閉じ状態において突合せ状態になっている。また、図５に示されるように、ルーバー付きスライドパネル１３が開くと、その内側に住宅の開口部２が現れるように構成されている。
【００３７】
なお、ルーバー付きスライドパネル１３のストッパ、回転ハンドル等の作動ロッド操作手段、ロック手段等は公知であるから、省略する。
【００３８】
次に、枠体３の上枠５と住宅の外壁１との間には屋根３５が設けられている。図７及び図１０に示されるように、屋根３５はフレーム枠３７の内側に屋根材３６を配設したもので、フレーム枠３７は、上枠５が兼用する前フレーム５と外壁１に固定された後フレーム３８と両側の側フレーム（図示せず）と前フレーム５と後フレーム３８の中間部を連結する中間フレーム（図示せず）とによって構成され、前フレーム５の後面部には長手方向に沿って屋根材３６の前端を支持する樋部材３９が固定されている。樋部材３９の上部に設けられている部材４０は、中間フレームを支持するための短尺の支持部材である。屋根材３６は斜板部３６ａの両側にフィン３６ｂを立ち上げ形成したもので、フレーム枠３７の内側に画成された空間に配置されており、屋根材３６の前端は樋部材３９に支持され、屋根押え４１によって固定されている。屋根材３６の後端は後フレーム３８に固定された屋根受け部材４２上に支持され、屋根押え４３で固定されている。なお、４４は屋根材のフィンを押える屋根固定部材である。
【００３９】
屋根材３６の下部には天井板４５が連設されている。
【００４０】
枠体３は屋根３５を介して住宅に連結されるので、自立強度は補強され、強風等で歪み等の変形が生じ、ルーバー１０の回動やルーバー付きスライドパネル１３の摺動に及ぼす悪影響を最小にすることができる。
【００４１】
なお、屋根３５には必ずしも直接に雨を避ける機能は要求されない。たとえば、住宅の二階の一部が一階の外壁よりも屋外側に突出している場合、突出部分の床部を上記構造体Aの屋根として利用してもよい。
【００４２】
上述のように、住宅の外側に、ルーバー付きパネル７とルーバー付きスライドパネル１３とを備えた構造体Aが設けられる構成となっている。構造体Aと住宅との間には、屋内ではないが、といって屋外でもない中間領域Bが創出される。そして、この中間領域Bを造り出すことにより、庭に吹く風、庭に照射された日光をいったん中間領域Bに取り込み、さらにそこから住宅内に導入することができるようになり、季節や使用状況に合わせて日射・通風・他人の視線等による影響を調整したり、住宅内部の温度調整補助を行ったりすることができる。
【００４３】
すなわち、図５のように両側のルーバー付きスライドパネル１３をルーバー付きパネル７の後まで摺動させて全開状態としたとき、中間領域Bは外界に開放された空間となり、庭的な存在となる。このため、枠体３の内側空間Ｐを通して日光が住宅の内部にも十分に差し込まれ、通風量も最大となる。したがって、冬は陽射しを取り入れる効果が期待でき、夏は放熱効果が期待できる。枠体３の内側空間Ｐ以外の通風量は、ルーバー付きパネル７とルーバー付きスライドパネル１３のルーバー１０の角度によって調整すればよい。
【００４４】
次に、図１及び図２のように両側のルーバー付きスライドパネル１３を閉め、ルーバー１０を開けた状態にすると、外からの視線を遮断し、日光を遮断すると同時に、風を通す空間となるから、中間領域Bはテラス的空間となる。
【００４５】
さらに、図１及び図２のようにルーバー付きスライドパネル１３を閉じ、ルーバー１０も閉じた状態にすると、外からの視線を遮断し、日光も遮断すると同時に、通風も遮断することができる空間となる。しかも、ルーバー１０を閉めたときは、上下のルーバー１０の住宅側に対面する部分の重なり具合が建具のような美観を呈するので、リビングの延長のようなイメージとなる。したがって、中間領域Bは住宅内部に近いプライベート空間的な存在となる。
【００４６】
上記いずれの場合も、屋根３５があるために雨水が中間領域B内を濡らすことがなく、常時室内のような快適空間を保持することができる。
【００４７】
また、ルーバー付きパネル７を設けたことにより、このスライドパネルを閉じたときにその全幅は固定されたルーバー付きパネル７の分も含まれるので、中間領域Bはルーバー付きスライドパネル１３とルーバー付きパネル７とを備えた広い空間となる。
【００４８】
以上述べたとおり、上記構造体Aは、エアコンなどの電力等に依存せず、太陽や風など自然のパワーを利用したパッシブな制御によって夏冬の厳しい環境を適度に緩和するものであるから、温度差が少なく、建物や居住している人にかける負担を最小にすることができる。
【００４９】
このように、住宅の内外の中間領域Bを創出することにより、外界に開放された庭を外界に閉鎖された住宅に取り込んで住宅と同価値とすることで安心で快適な空間と通風・陽射しの取り込みの両立が達成できる。都市部の前面道路からの引きが少ない住宅には特に有効である。
【００５０】
なお、上述の構造体は枠体とルーバー付きスライドパネルと屋根とが備えられているものであればよく、その構造にはいろいろな選択肢があり、上述の実施形態には限定されない。例えば、新築住宅とともに設置する先付け仕様と既設の住宅に設置する後付け仕様とでは、多少の構造上の違いはあるが、その仕様に限定されない。枠体の縦枠と住宅の外壁との間に壁を設けてもよい。屋根構造も上述の実施形態に限定されるものではない。
【００５１】
同様に、枠体３の横方向の巾寸法が十分に取れないときは、ルーバー付きパネルを枠体の一側にのみ設ける構成でもよい。また、枠体が横長で十分に広い巾寸法にした場合は、２つのルーバー付きパネルを枠体の一側と中間部分に設け、ルーバー付きスライドパネルの摺動域を上枠の全長に沿うようにしてもよい。さらには、固定されたルーバー付きパネルに代えて３枚以上のルーバー付きスライドパネルを設ける構成であってもよい。同様に、ルーバー付きスライドパネルは必ずしも枠体の一側又は両側に設けられる形態に限定されない。例えば、枠体の中央部分に設ける構成であってもよい。
【００５２】
また、ルーバーは必ずしも回動する可動式のものに限定されない。角度が固定された固定式であってもよい。ルーバー付きスライドパネルの上部の吊り構造や下部のガイド構造についても、他の実施形態を選択することができる。
【符号の説明】
【００５３】
Ａ    構造体
Ｂ    中間領域
Ｐ    枠体の内側空間
１    外壁
２    開口部
３    枠体
４    縦枠
５    上枠
７    ルーバー付きパネル
１０  ルーバー
１３  ルーバー付きスライドパネル
３５  屋根
【図１】
2014125846.tif 000003
【図２】
2014125846.tif 000004
【図３】
2014125846.tif 000005
【図４】
2014125846.tif 000006
【図５】
2014125846.tif 000007
【図６】
2014125846.tif 000008
【図７】
2014125846.tif 000009
【図８】
2014125846.tif 000010
【図９】
2014125846.tif 000011
【図１０】
2014125846.tif 000012